(57)【要約】【課題】発電機中性点接地用断路器の開閉状態に応じて界磁遮断器の投入インターロックを構成し、地絡検出を適切に行える発電機の界磁遮断器投入インターロック装置を得る。【解決手段】界磁遮断器４に係る投入の要求に応じて出力を導出する第１の出力回路１１と、発電機中性点接地用断路器２の閉状態に応じて出力を導出する第２の出力回路１２と、第１および第２の出力回路１１，１２における出力の論理積により界磁遮断器４の投入指令を導出するＡＮＤ回路１３を設け、発電機中性点接地用断路器２が閉状態であることを条件に界磁遮断器４への投入指令を印加するようにした。【選択図】        図２
2005012949.tif 000002
【特許請求の範囲】
【請求項１】
発電機中性点接地用断路器を使用している発電機の界磁遮断器投入インターロック装置において、前記発電機中性点接地用断路器が閉状態であることを条件に界磁遮断器への投入指令を印加することを特徴とする発電機の界磁遮断器投入インターロック装置。
【請求項２】
前記界磁遮断器投入の要求に応じて出力を導出する第１の出力回路と、前記発電機中性点接地用断路器の閉状態に応じて出力を導出する第２の出力回路と、前記第１および第２の出力回路における出力の論理積により界磁遮断器投入指令を導出するＡＮＤ回路を設けたことを特徴とする請求項１に記載の発電機の界磁遮断器投入インターロック装置。
【請求項３】
発電機中性点接地用断路器を使用している発電機の界磁遮断器投入インターロック装置において、前記発電機中性点接地用断路器が閉状態であるか、あるいは、前記発電機中性点接地用断路器が開状態でサイリスタ起動装置による起動中であることを条件に界磁遮断器への投入指令を印加することを特徴とする発電機の界磁遮断器投入インターロック装置。
【請求項４】
前記界磁遮断器投入の要求に応じて出力を導出する第１の出力回路と、前記発電機中性点接地用断路器の閉状態に応じて出力を導出する第２の出力回路と、前記第１および第２の出力回路における出力の論理積により出力を導出する第１のＡＮＤ回路と、前記発電機中性点接地用断路器の開状態に応じて出力を導出する第３の出力回路と、サイリスタ起動装置による起動中であることに応じて出力を導出する第４の出力回路と、前記第１，第３および第４の出力回路における出力の論理積により出力を導出する第２のＡＮＤ回路と、前記第１および第２のＡＮＤ回路における出力の論理和により界磁遮断器投入指令を導出するＯＲ回路とを設けたことを特徴とする請求項３に記載の発電機の界磁遮断器投入インターロック装置。
【請求項５】
サイリスタ起動装置による起動中における前記発電機中性点接地用断路器の開状態に応じて地絡検出回路異常警報を阻止することを特徴とする請求項３または請求項４に記載の発電機の界磁遮断器投入インターロック装置。
【請求項６】
サイリスタ起動装置による起動中における前記発電機中性点接地用断路器の開状態に応じて出力を導出する開信号出力回路と、地絡検出回路異常に応じて出力を導出する地絡異常出力回路と、前記開信号出力回路の出力を反転するＮＯＴ回路と、前記地絡異常出力回路および前記ＮＯＴ回路における出力の論理積により地絡検出回路異常警報を生成するＡＮＤ回路とを設けたことを特徴とする請求項５に記載の発電機の界磁遮断器投入インターロック装置。
【発明の詳細な説明】
【０００１】
【発明の属する技術分野】
この発明は、発電機中性点接地回路に断路器を使用している発電プラント等における発電機の界磁遮断器投入インターロック装置に関するものである。
【０００２】
【従来の技術】
発電機中性点接地回路に断路器を使用している発電プラントにおいて、その基本的回路構成は、図１に示すように構成される。
但し、従来の技術においては、制御盤６から界磁遮断器４への開閉指令としての信号Ａ、界磁遮断器４から制御盤６への開閉状態入力としての信号Ｂ、および、サイリスタ起動時の制御盤６から発電機中性点接地用断路器２への開閉指令としての信号Ｃが印加されるのみであった。信号Ｄおよび信号Ｅは存在しない。
信号Ｃにより、通常運転時は発電機中性点接地用断路器２を閉とする。点検中等のプラント停止時には発電機中性点接地用断路器２を開とする。
【０００３】
発電プラント運転中に、発電機固定子地絡が発生して地絡継電器３が動作すると界磁遮断器４、発電機遮断器５をトリップさせる。
【０００４】
【発明が解決しようとする課題】
発電機中性点接地用断路器２が開の状態で発電機固定子地絡が発生した場合、地絡を検出するための零相回路が切断されているため地絡が検出できないという問題がある。
これは、プラント起動時に発電機中性点接地用断路器２の状態が考慮されていない、つまり、プラント起動時の電圧立ち上げの前提となる界磁遮断器４の投入条件に発電機中性点接地用断路器２の状態が考慮されていないためである。
【０００５】
また、発電プラントの起動方式として、サイリスタ起動装置８が適用されている場合は、サイリスタ起動装置によるプラント起動中に、接地用変圧器１０がＤＣ地絡事故により飽和することを防止するため、制御盤６から発電機中性点接地用断路器２を開とし、界磁遮断器４の開閉操作を行うため、界磁遮断器４の投入条件に発電機中性点接地用断路器２の閉条件を考慮しているだけでは、界磁遮断器４の開閉操作が行えないという問題がある。
【０００６】
さらには、発電機固定子の地絡継電器３に電圧印加型の継電器を使用している場合には、サイリスタ起動装置８によるプラント起動中に発電機中性点接地用断路器２が開となるため、保護継電器盤７から地絡検出回路異常の不要な警報が発生する。
【０００７】
従来技術においては、投入点検時に実際の投入動作を阻止するインターロック回路を設けたものも存在する（例えば、特許文献１参照）。
しかしながら、このような従来技術では、上述した問題点を解決できるものではない。
【０００８】
【特許文献１】
特開２００１−３７０６６号公報（第１頁、図４）
【０００９】
この発明は、上記のような課題を解決するためになされたものであり、発電機中性点接地用断路器の開閉状態に応じて界磁遮断器の投入インターロックを構成し、地絡検出を適切に行える発電機の界磁遮断器投入インターロック装置を得ようとするものである。
【００１０】
【課題を解決するための手段】
この発明に係る発電機の界磁遮断器投入インターロック装置では、発電機中性点接地用断路器が閉状態であることを条件に界磁遮断器への投入指令を印加するようにしたものである。
【００１１】
【発明の実施の形態】
実施の形態１．
この発明による実施の形態１を図１および図２に基づいて説明する。図１は実施の形態１における全体構成を示すブロック図である。図２は実施の形態１におけるロジック構成を示すブロック図である。
【００１２】
発電機中性点接地用断路器２の開閉状態を考慮するため、リミットスイッチまたは補助リレー等で検知した断路器２の開閉状態を、信号Ｄにより制御盤６へ入力する。
制御盤６から出力される界磁遮断器４の投入指令（信号Ａ）が発電機中性点接地用断路器２が閉の場合のみ出力されるように、従来の界磁遮断器４の投入ロジックに加え、制御盤６内で図２のロジックを構成する。
すなわち、界磁遮断器を投入する旨の要求に応じて出力を導出する界磁遮断器投入ロジック回路からなる第１の出力回路１１と、前記発電機中性点接地用断路器の閉状態に応じて出力を導出する発電機中性点接地用断路器閉信号（信号Ｄ）からなる第２の出力回路１２と、前記第１および第２の出力回路における出力の論理積により界磁遮断器投入指令を導出するＡＮＤ回路１３が設けられる。
図２のロジックを構成することにより界磁遮断器４が投入されている、つまり、プラント運転中では必ず発電機中性点接地用断路器２が閉となる。
【００１３】
従って、プラント運転中に発電機固定子地絡が発生した場合には地絡継電器３により地絡検出可能となる。
【００１４】
この発明による実施の形態１によれば、発電機中性点接地用断路器２を使用している発電機１における界磁遮断器４の投入インターロック装置において、前記界磁遮断器４に係る投入要求に応じて出力を導出する界磁遮断器投入ロジック回路からなる第１の出力回路１１と、前記発電機中性点接地用断路器２の閉状態に応じて出力を導出する発電機中性点接地用断路器閉信号（信号Ｄ）回路からなる第２の出力回路１２と、前記第１および第２の出力回路１１，１２における出力の論理積により界磁遮断器投入を導出するＡＮＤ回路１３を設け、前記発電機中性点接地用断路器２が閉状態であることを条件に界磁遮断器４への投入指令を印加するようにしたので、発電機中性点接地用断路器の開閉状態に応じて界磁遮断器の投入インターロックを構成し、地絡検出を適切に行える発電機の界磁遮断器投入インターロック装置を得ることができる。
【００１５】
実施の形態２．
この発明による実施の形態２を図１および図３について説明する。図１は実施の形態２における全体構成を示すブロック図である。図３は実施の形態２におけるロジック構成を示すブロック図である。
この実施の形態２において、ここで説明する特有の構成以外の構成については、先に説明した実施の形態１における構成と同様の構成内容を具備し、同様の作用を奏するものである。図中、同一符号は同一または相当部分を示す。
【００１６】
実施の形態１において、発電プラントの起動方式としてサイリスタ起動装置８が適用されている場合の界磁遮断器４の投入インターロックを図１および図３に基づいて説明する。
【００１７】
サイリスタ起動中は、発電機中性点接地用断路器２を開とし、制御盤６から界磁遮断器４の開閉操作を行う。
図２のロジックをそのまま適用すると、発電機中性点接地用断路器２が閉となっている場合にしか界磁遮断器４の操作が行えないため、サイリスタ起動中に界磁遮断器４が投入できないという不具合が発生する。
【００１８】
従って、図２のロジックに加え、界磁遮断器４投入ロジック、発電機中性点接地用断路器２開（信号Ｄ）、および、発電プラントの制御装置９からの信号を受け、制御盤６内で構成するサイリスタ起動装置によるプラント起動中の条件で界磁遮断器４が投入可能となるロジックを追加し、図３のロジックを制御盤６内で構成する。
すなわち、発電機中性点接地用断路器２を使用している発電機１における界磁遮断器４の投入インターロック装置において、前記界磁遮断器４に係る投入要求に応じて出力を導出する界磁遮断器投入ロジック回路からなる第１の出力回路１１と、前記発電機中性点接地用断路器２の閉状態に応じて出力を導出する発電機中性点接地用断路器閉信号（信号Ｄ）回路からなる第２の出力回路１２と、前記第１および第２の出力回路１１，１２における出力の論理積により界磁遮断器投入を導出する第１のＡＮＤ回路１３と、前記発電機中性点接地用断路器の開状態に応じて出力を導出する発電機中性点接地用断路器開信号（信号Ｄ）回路からなる第３の出力回路１４と、サイリスタ起動装置による起動中であることに応じて出力を導出する第４の出力回路１５と、前記第１，第３および第４の出力回路１１，１４，１５における出力の論理積により出力を導出する第２のＡＮＤ回路１６と、前記第１および第２のＡＮＤ回路１３，１６における出力の論理和により界磁遮断器投入指令を導出するＯＲ回路１７とが設けられる。
【００１９】
「サイリスタ起動装置によるプラント起動中」の信号は、プラント制御装置９からサイリスタ起動を選択した場合に、制御盤６に入力される信号を界磁遮断器４の投入指令構成ロジックに適用したものである。
サイリスタ起動装置による起動後においては、発電機中性点接地用断路器２は確実に閉成され、地絡検出を適切に行うことができる。
【００２０】
この発明による実施の形態２によれば、発電機中性点接地用断路器２を使用している発電機１における界磁遮断器４の投入インターロック装置において、前記界磁遮断器４に係る投入要求に応じて出力を導出する界磁遮断器投入ロジック回路からなる第１の出力回路１１と、前記発電機中性点接地用断路器２の閉状態に応じて出力を導出する発電機中性点接地用断路器閉信号（信号Ｄ）回路からなる第２の出力回路１２と、前記第１および第２の出力回路１１，１２における出力の論理積により界磁遮断器投入を導出する第１のＡＮＤ回路１３と、前記発電機中性点接地用断路器の開状態に応じて出力を導出する発電機中性点接地用断路器開信号（信号Ｄ）回路からなる第３の出力回路１４と、サイリスタ起動装置による起動中であることに応じて出力を導出する第４の出力回路１５と、前記第１，第３および第４の出力回路１１，１４，１５における出力の論理積により出力を導出する第２のＡＮＤ回路１６と、前記第１および第２のＡＮＤ回路１３，１６における出力の論理和により界磁遮断器投入指令を導出するＯＲ回路１７とを設け、前記発電機中性点接地用断路器２が閉状態であるか、あるいは、前記発電機中性点接地用断路器２が開状態であってもサイリスタ起動装置による起動中であることを条件に界磁遮断器４への投入指令を印加するようにしたので、発電機中性点接地用断路器の開閉状態に応じて界磁遮断器の投入インターロックを構成し、地絡検出を適切に行えるとともに、サイリスタ起動装置による起動を可能とする発電機の界磁遮断器投入インターロック装置を得ることができる。
【００２１】
実施の形態３．
この発明による実施の形態３を図１および図４について説明する。図１は実施の形態３における全体構成を示すブロック図である。図４は実施の形態３におけるロジック構成を示すブロック図である。
この実施の形態３において、ここで説明する特有の構成以外の構成については、先に説明した実施の形態２における構成と同様の構成内容を具備し、同様の作用を奏するものである。図中、同一符号は同一または相当部分を示す。
【００２２】
実施の形態２において、サイリスタ起動中は発電機中性点接地用断路器２を開としている。
このため、電圧印加型の地絡継電器３を使用している場合には、零相回路が切断されたことを検知し地絡検出回路異常となり、保護継電器盤７から不要な警報（警報Ａ）が発信される。不要な警報発信の防止について図１および図４のロジックに基づいて説明する。
【００２３】
サイリスタ起動装置８によるプラント起動中の条件として、発電機中性点接地用断路器２から信号Ｄにより制御盤６に入力された信号を、制御盤６から信号Ｅにより保護継電器盤７に入力し、図４のロジックを保護継電器盤７内で構成し、不要な警報発信を防止する。
すなわち、前記発電機中性点接地用断路器２の開状態に応じて出力を導出する開信号出力回路１４と、地絡検出回路異常に応じて出力を導出する地絡異常出力回路１８と、前記開信号出力回路１４の出力を反転するＮＯＴ回路１９と、地絡異常出力回路１８および前記ＮＯＴ回路１９における出力の論理積により地絡検出回路異常警報を生成するＡＮＤ回路２０とが設けられる。
【００２４】
この発明による実施の形態３によれば、実施の形態２における構成において、前記発電機中性点接地用断路器２の開状態に応じて出力を導出する開信号出力回路１４と、地絡検出回路異常に応じて出力を導出する地絡異常出力回路１８と、前記開信号出力回路１４の出力を反転するＮＯＴ回路１９と、地絡異常出力回路１８および前記ＮＯＴ回路１９における出力の論理積により地絡検出回路異常警報を生成するＡＮＤ回路２０とを設け、サイリスタ起動装置による起動中における前記発電機中性点接地用断路器２の開状態に応じて地絡検出回路異常警報を阻止するようにしたので、地絡検出を適切に行えるとともに、サイリスタ起動装置による起動を地絡検出回路異常警報の発生なしに可能とする発電機の界磁遮断器投入インターロック装置を得ることができる。
【００２５】
【発明の効果】
この発明によれば、発電機中性点接地用断路器の開閉状態に応じて界磁遮断器の投入インターロックを構成し、地絡検出を適切に行える発電機の界磁遮断器投入インターロック装置を得ることができる。
【図面の簡単な説明】
【図１】この発明による実施の形態における全体構成を示すブロック図である。
【図２】この発明による実施の形態１におけるロジック構成を示すブロック図である。
【図３】この発明による実施の形態２におけるロジック構成を示すブロック図である。
【図４】この発明による実施の形態３におけるロジック構成を示すブロック図である。
【符号の説明】
１  発電機、２  発電機中性点接地用断路器、３  地絡継電器、４  界磁遮断器、５  発電機遮断器、６  制御盤、７  保護継電器盤、８  サイリスタ起動装置、９  制御装置、１０  発電機中性点接地用変圧器。
【図１】
2005012949.tif 000003
【図２】
2005012949.tif 000004
【図３】
2005012949.tif 000005
【図４】
2005012949.tif 000006